(57)【要約】【課題】  地上デジタル放送のＴＭＣＣ情報の緊急警報放送用起動フラグが設定された放送を受信した際に、受信端末側で適切な情報を画面に表示するため、データ差替えタイミングを考慮して迅速にデータ放送を差替える放送データ変換装置を提供する。【解決手段】  中継局において、本部局から送出されるデジタル放送のＴＭＣＣ信号中の緊急情報放送用フラグを認識する緊急情報検出装置と、ＴＳ中に緊急情報が多重されている場合、差替えるコンテンツの生成並びに差替え指令を発行する差替えデータ生成装置、差替え処理により生成されるＴＳと差替え前のＴＳと時刻同期をとる時刻同期装置を備える。受信端末側では、県域放送のコンテンツである映像音声が途切れずに、データ放送が差替わった放送を受信することが可能となる。【選択図】図１
2008205979.tif 000002
【特許請求の範囲】
【請求項１】
第一のトランスポートストリーム中の特定のデータを第二のトランスポートストリームに差替える放送データ変換装置において、
第一のトランスポートストリームを受信するトランスポートストリーム受信手段と、
第二のトランスポートストリームを生成する差替えデータ生成手段と、
差替えたトランスポートストリームを出力するトランスポートストリーム送出手段と、
前記トランスポートストリーム受信装置で受信した第一のトランスポートストリームに多重されたＩＳＤＢ−Ｔ方式のＴＭＣＣ信号中の緊急警報起動フラグの情報を検出する緊急情報検出手段と、
前記緊急情報検出手段の検出結果に応じて、前記差替えデータ生成手段に対し差替えデータ生成を指示する差替えデータ生成指令手段と、
前記緊急情報検出手段の検出結果に応じて、前記差替えデータ生成手段により生成された第二のトランスポートストリームのデータにより第一のトランスポートストリームの一部を差替えるデータ差替え手段を備えること
を特徴とする放送データ変換装置。
【請求項２】
請求項１に記載の放送データ変換装置において、差替え対象となるデータが第一のトランスポートストリーム中のデータ放送情報と、ＡＲＩＢ規格ＴＲ−Ｂ１４で規定される
ＰＳＩ／ＳＩ情報であることを特徴とする放送データ変換装置。
【請求項３】
請求項１に記載の放送データ変換装置において、差替えられた第一のトランスポートストリームのＰＳＩ／ＳＩ情報中には、第二のトランスポートストリームの地域情報のサブコードを有することを特徴とする放送データ変換装置。
【請求項４】
請求項１に記載の放送データ変換装置において、第一のトランスポートストリーム中の特定のデータを第二のトランスポートストリーム中のデータに差替える際に、差替えを実施した前後のトランスポートストリーム中のＰＣＲの値が一致するように補正をする時刻同期装置を有することを特徴とする放送データ変換装置。
【発明の詳細な説明】
【技術分野】
【０００１】
本発明は、外部から送信されたデータを受信し、受信したデータの一部を差替えて出力するデータ変換装置に関する。
【背景技術】
【０００２】
２００３年１２月より日本国内で放送が開始されたＩＳＤＢ−Ｔ方式の地上デジタル放送は、従来の地上波放送と異なり、映像音声のみならず、各地域に密着したデータ放送を放送することが可能となっている。しかし、地域に密着したデータ放送といえども、放送局単位でのデータ更新となるため、県域放送単位で異なるデータを放送するものに限られている。
【０００３】
これに対し、該当する県域放送単位を更に細かくした従来のミニＦＭ局に類似するエリア型放送が提案されている。この方式は、県域放送単位でのデータ放送と同一の周波数を用いて、映像や音声は県域放送単位で放送している内容と同一の内容を放送するものの、例えば地下街を始めとした遮蔽空間あるいはアミューズメント施設だけに限定するような、特定の狭い地域内毎に独自のデータ放送を行い、該当する地域の中に入った時に受信、並びに受信したデータ放送の内容が表示されるようにすることが可能である放送方式である。
【０００４】
一般的にこのような地域限定の放送に関しては、これまで放送方式を用いる方式よりも、通信方式、即ちインターネットを利用したマルチキャスト方式により情報配信が行われている例が多い。しかしマルチキャスト方式のような通信メディアを用いた情報配信方式では、受信者に対して重要な内容、例えば今後とも日本で大きな被害が発生すると予測されている地震を始めとした災害情報あるいは緊急情報が放送され、短時間のうちに多くの受信者が情報の配信元へアクセスした場合には輻輳の発生が避けられず、この輻輳による通信不良のため、必要な情報が受信者に行き渡らない可能性が高い。そのため、緊急情報や災害情報が発生した場合でもエリア型放送を継続して利用可能にするためには、通信メディアを用いてエリア型放送を実現するよりも放送メディアを用いて実現するほうが有利であることは明らかである。
【０００５】
特に、ＩＳＤＢ−Ｔ方式の地上デジタル放送方式では、移動体での受信に強い地上デジタル放送におけるワンセグ放送を利用することが可能であるため、放送エリア内の多くのユーザーに情報を伝達することが可能である。この放送方式を用いて、前述の遮蔽空間あるいはアミューズメント施設で放送する独自のデータ放送をどのように地上デジタル放送の枠組みの中で放送するかということが課題となってくる。
【０００６】
映像音声の放送は県域単位の放送局と同一の内容を放送し、前記した遮蔽空間やアミューズメント施設に代表される特定の狭い地域に応じたデータ放送を放送するためには、放送データ帯域の有効利用の観点から、エリア型放送の対象となる特定の狭い地域毎に中継局を設置し、中継局毎に県域単位の放送に対してデータ放送を差替えた内容で放送を行う必要がある。これを実現するために、中継局でデータ放送を差替える放送データ変換装置が必要となる。
【０００７】
中継局でデータ放送を差替える装置に関しては、特開２００４−１３５３１５号公報，再公表特許ＷＯ０２／０８２６９９号公報に記載された技術が存在する。
【０００８】
この内、特開２００４−１３５３１５号公報ではデータの入力速度と出力速度とを同一に保ちつつ、入力データの一部を差替えてデータを出力することができるため、キー局から放送されるデータ放送番組と地方局から放送されるデータ放送番組との間で、データの伝送速度が一定に保たれ、どの地域でもキー局と同等の帯域を使用してデータ放送することができ、帯域を変更することなく地域性に応じたデータ放送番組内容の変更を行うことが可能となると記述されている。
【０００９】
また、再公表特許ＷＯ０２／０８２６９９号公報では、構成要素に複数のＣＭと各ＣＭに対応するイベントメッセージとを含むコンテンツを繰り返し多重化したデータ放送番組ストリームを受信して、その中の構成要素を分離し、各構成要素をコンテンツに含めるか否かを判定し、コンテンツにこのＣＭを含める場合には、ＣＭとともにＣＭの処理タイミングを制御するメッセージとを含め、または或るＣＭを含めないとした場合は、そのＣＭの対応するイベントメッセージを「含めない」とするコンテンツを繰り返し多重化したデータ放送番組ストリームを出力し、また、デジタル放送の放送番組とともにＴＳに多重化してデータ放送番組を放送する際、他の放送局からネット配信された第一データ放送番組ＴＳを利用するデータ放送番組ストリーム送出装置が開示され、これにより受信装置では、メッセージの受信によりＣＭの処理タイミングを制御することができることが記載されている。
【００１０】
また、特開２００１−０４５３７１号公報には、交代フレームを検出することにより、時間的に連続して送出されている複数のテレビ放送素材の境界を検出して、複数のテレビ放送素材を差替えるテレビ映像の切替方法が開示されている。
【００１１】
【特許文献１】特開２００４−１３５３１５号公報
【特許文献２】再公表特許ＷＯ０２／０８２６９９号公報
【特許文献３】特開２００１−０４５３７１号公報
【発明の開示】
【発明が解決しようとする課題】
【００１２】
上記のエリア型放送方式ではＭＰＥＧ−２ Transport Stream（以下、ＴＳと略す）の
Transmission and Multiplexing Configuration Control （以下、ＴＭＣＣと略す）信号中に緊急情報フラグが入った場合に、県域放送局だけでは地域に密着した情報に限定して放送を配信することが難しいため、各中継局自らが被害を提言するための具体的な緊急情報を迅速に再多重して、近隣の地域に放送する必要がある。また、映像音声の内容に関しては県域放送で同一のものを放送する必要がある。この様な際に迅速に情報を配信するためには映像音声番組と同期をとりながら、如何に迅速に情報配信開始，終了のタイミングをとって該当するデータ放送を差替えるか、ということが課題となる。
【００１３】
しかしながら、上記の従来技術によると特開２００１−０４５３７１号公報に開示されている番組切替のタイミング、例えば「確定番組」方法で切り替えるか、あるいは「アンタイム」で切り替えるか、あるいは別の方法での番組切替タイミングを決定するのかあいまいであり、緊急事態が発生した際に映像，音声放送の内容と同期をとりながら迅速にデータ放送番組を変更することは考慮されていない。
【００１４】
本発明の課題は、外部より送信されるデータを受信し、受信したデータの一部を差替えてデータを出力するデータ差替え装置に関し、データ差替えタイミングを考慮して、迅速にデータ放送を差替える放送データ変換装置を提供することにある。
【課題を解決するための手段】
【００１５】
本発明では、中継局における放送データ変換装置において、本部局から送出されるデジタル放送信号中に含まれるＴＭＣＣ信号について、災害情報に代表される緊急情報が発生した際に設定される緊急警報放送用起動フラグを認識する緊急情報検出装置と、この緊急情報検出装置により本部局から伝送されてきたＴＳ中に緊急情報が多重されていると認識された場合に、差替えるコンテンツの生成ならびに差替え指令を発行する差替えデータ生成装置と、差替えデータ生成装置の処理により生成されるＴＳが、データを差替える前のＴＳと時刻同期をとるための時刻同期装置を設ける。時刻同期装置を有する構成をとる。
【発明の効果】
【００１６】
これにより、県域放送のコンテンツである映像音声が受信端末側で途切れることなく受信でき、かつデータ放送が特定の地域向けの放送内容に差替わった放送を受信することが可能となる。
【発明を実施するための最良の形態】
【００１７】
以下、本発明の実施例について図面を用いて説明する。
【実施例１】
【００１８】
本発明を用いた放送データ変換装置の第一の実施例を図１に示す。放送データ変換装置１０１は、トランスポートストリーム受信装置（ＴＳ受信装置）１０２，緊急情報検出装置１０３，差替えデータ生成指令装置１０４，データ差替え装置１０５，トランスポートストリーム送出装置（ＴＳ送出装置）１０９を備える。
【００１９】
本発明では、緊急警報放送用起動フラグを認識する緊急情報検出装置１０３により、
ＩＳＤＢ−Ｔを用いた放送方式中のＡＲＩＢ  ＴＲ−Ｂ１４に記述があるＴＭＣＣ信号中の緊急警報放送用起動フラグを常時監視し、起動制御があると判定された場合に、緊急情報検出装置１０３から差替えデータ生成指令装置１０４に開始の制御信号を発する。この制御信号の受信をトリガーにして、差替えデータ生成指令装置１０４は差替えデータ生成装置１０７に差替えデータの生成を指示する。差替えデータ生成装置１０７では、差替えデータ１０８を用いて、ＴＳデータ差替えのために必要となる、ＴＳに存在するプログラムやＴＳに含まれる符号化された各画像や音声が属するプログラムの情報及び番組情報などを含むＰＳＩ／ＳＩ（Program Specific Information／Service Information）情報と、差替えるデータコンテンツを自動生成するか、あるいは、事前に制作されていたＴＳデータを読み込み、データ差替え装置１０５に送る。データ差替え装置１０５では、受け取った差替えデータと被差替えデータとの差替えを実施する。このデータ差替えの時には、県域放送との同期をとるために、時刻同期装置１０６からの時刻信号と、データを差替えた後のＴＳデータの時刻情報の同期をとる。
【００２０】
またこのデータ差替え装置１０５では県域放送用のデータであるか、それとも差替えられたデータであるかどうかの判別子を、差替え処理済のＰＳＩ／ＳＩ上に記述する。
【００２１】
なお、ＴＳ受信装置１０２に入力される入力データは、差替えられるＴＳデータとし、出力されるデータは差替え処理が終了したデータとする。また、図１中の入力データと出カデータのＴＳビットレートは、説明を簡単にするために同一であるものとする。そのため差替えデータ生成装置から送出されるＴＳのビットレートも同一であるものとする。
【００２２】
ＴＳ受信装置１０２は、通信回線により中継局に送信されてきたＴＳ形式のデータを入力データとして受信する装置である。ＴＳ受信装置に入力されたデータは、緊急情報検出装置１０３に入力される。緊急情報検出装置１０３ではＴＳ中に多重されているＡＲＩＢ−ＳＴＤＢ３１記述のＴＭＣＣ信号中から、図２に示すＴＭＣＣのデータ構造における
Ｂ２６フィールドの緊急警報放送用起動フラグを監視し、このフラグの変化により緊急警報起動制御の有無、並びに開始，終了を判断する。そして、緊急警報起動制御が開始、あるいは継続中の時には、後段の差替えデータ生成指令装置１０４に対してＴＳデータ差替えのためのデータ生成を指示する。差替えデータ生成指令装置１０４では、緊急情報検出装置１０３からの差替え信号を受信すると、差替えデータ生成装置１０７に対して、必要なＰＳＩ／ＳＩ情報の生成と、差替える放送データの探索並びに作成の指示を行う。ここで生成された差替え用のデータを元にデータ差替え装置１０５にて、放送データの差替えを行う。放送データを差替える際には、時刻同期装置１０６からの時刻情報をもとに、差替えられたデータの時刻情報を矛盾無く補正する。ここでの時刻同期装置１０６からの信号は、伝送遅延分を加味した差替え元データのＴＳのＰＣＲ(Program Clock Reference)の値を基準としても良いし、ＪＳＴに代表される時刻情報を基準としても良い。このように差替えられたＴＳをＴＳ送出装置１０９により外部装置に送信する。
【００２３】
次に緊急情報検出装置１０３の内部処理について、図３を用いて説明する。まず処理
６０１にて、ＴＳ受信装置１０２で受信したデータからＴＳパケットを取得する。続いて処理６０２にて、ＴＭＣＣ信号から図２に示したＢ２６の領域中のデータを取り出し、メモリ上に蓄積してあった１個前のＴＳパケット中のＴＭＣＣ信号中のＢ２６の領域中にあったデータと比較して、Ｂ２６の領域中のデータに変化があったかどうかを判定する。変化がなかった場合、処理６０３に移り、Ｂ２６の領域中のフラグの中身を判定する。フラグの値が０であれば、処理の先頭に戻ってＴＳパケットの取得処理を行う。
【００２４】
一方、処理６０３での判定の結果、Ｂ２６のフラグの値が１であった場合には、処理
６０５に進み、差替え処理を実施するために差替えデータ生成指令装置１０４に指令を送る。処理６０２にて、前値と比較してＴＭＣＣ中のＢ２６フィールドの値に変更があった場合には、処理６０４に進み、Ｂ２６フィールドの値の変更が、０から１への変化であるかどうかを調べる。もしそうであれぱ、差替えデータ生成指令の処理６０５に進む。また、０から１への変化でなければ処理６０６に進み、ＴＭＣＣ中のＢ２６の値が１から０への変化であるか調べ、１から０への変化であれば、緊急放送を実施する前の状態に戻るために差替えデータ生成指令処理６０５に進む処理となる。
【００２５】
次に、差替えデータ生成指令装置１０４と差替えデータ生成装置１０７における処理について説明する。差替えデータ生成指令装置１０４では、図４に示すように、処理７０１にて緊急警報放送用起動フラグを検出した後に、差替えデータ生成装置１０７に対して差替えデータの生成を指示する。この指示を受けた差替えデータ生成装置１０７では、処理７０２にて差替え対象ストリームのＰＳＩ／ＳＩ情報の生成を行う。この際、差替えを行う前のＰＳＩ／ＳＩ情報をメモリ上に蓄積しておく。差替えるＰＳＩ／ＳＩデータは、差替えデータ生成装置１０７にて差替えデータ１０８から取得する。次に処理７０３にて差替えるデータ放送に関するデータを生成，取得する。このデータは前記のＰＳＩ／ＳＩを生成，取得した時と同様に、差替えデータ生成装置１０７により、差替えデータの生成、あるいは予めＴＳデータの形で蓄積してあるデータを取得する。ここで差替えるデータがそろった場合に、処理７０４でデータ差替え装置１０５によるデータ差替え処理のメイン処理に移る。
【００２６】
差替える対象のパケットとして、映像音声のストリームデータが多重されているＰＥＳ（Packetized Elementary Stream）パケットと、データ放送が多重されているセクションパケットの２通りの場合がある。まず、映像音声のストリームデータが多重されている
ＰＥＳパケットを差替える場合について、図５を用いて説明する。図５中の８０１は差替えるＴＳデータ（差替えＴＳ）であり、８１０が差替えられるＴＳデータ(被差替えＴＳ)である。まず差替えＴＳ８０１は時刻が進むにつれて、データ差替え装置１０５に設けられたＴＳバッファ８０２中に順次格納される。ＴＳバッファ８０２に格納されたＰＥＳパケットを含むＴＳパケットについては、図５の例で８０３に格納されているＰＣＲパケットの値を、時刻同期装置１０６との同期をとる値に設定する。なお、被差替えＴＳ８１０と差替えＴＳ８０１のＰＩＤは同一とする。
【００２７】
差替えＴＳ８０１に該当するＰＩＤを持つ被差替えＴＳ８１０が被差替えＴＳ用のＴＳバッファ８０８に入ってきたら、差替えＴＳ用のＴＳバッファ８０２から該当するＴＳを選択するＴＳ選択８２１を行い、該当するＴＳのＰＣＲ８０６を、被差替えＴＳと同期をとった値に更新するＰＣＲ更新８２２を行ってＰＣＲを差替える。次に、差替えＴＳに該当するＰＩＤを持つＰＥＳパケットがきた場合には、該当する差替えＴＳから該当する
ＴＳパケットを選択するＴＳ選択８２３を行い、その後、ＰＥＳパケット中のＰＴＳを更新するＰＴＳ更新８２４を行う。ここで更新したＴＳバッファ８０８中のＰＥＳを含む
ＴＳパケットをＴＳバッファ８０８の内容で差替えて、差替え処理済ＴＳ８０９を作り出す。この作業を連続して行うことにより、映像，音声が入ったＴＳストリームの差替え更新を実行する。
【００２８】
次にデータ放送すなわちセクションパケットの差替えについて図６を用いて説明する。まず差替えＴＳ８０１は時刻が進むにつれてＴＳバッファ８０２中に格納される。ＴＳバッファ８０２に格納されたＰＥＳパケットを含むＴＳパケットについて、図６の例で803に格納されているＰＣＲパケットの値を時刻同期装置１０６との同期をとる値に設定する。なお、被差替えＴＳ８１０と差替えＴＳ８０１のＰＩＤは同一とする。差替えＴＳに該当するＰＩＤを持つ被差替えＴＳが被差替えＴＳ用のＴＳバッファ８０８に入ってきたら、差替えＴＳのバッファから該当するＴＳを選択するＴＳ選択８２１を行い、該当する
ＴＳのＰＣＲ８０６を前記の被差替えＴＳと同期をとった値のＰＣＲに更新するＰＣＲ更新８２２を行ってＰＣＲを差替える。また、差替えＴＳに該当するＰＩＤを持つセクションパケット８１１がきた場合には、該当する差替えＴＳから該当するＴＳパケットを選択するＴＳ選択８２３を行い、その後、このセクションパケットをＴＳバッファ８０８にて差替える。この作業を連続して行うことにより、セクションパケットの差替え更新を実行する。
【００２９】
図７は、ＰＳＩ／ＳＩを差替えるときのＰＭＴ(Program Map Table) のデータ配置の例を示す図である。ＴＳが差替えられた場合には、ＰＭＴも更新する必要がある。特に本発明でのデータの差替えは地域による独自コンテンツに差替えるため、図７に示した緊急警報情報定義における領域３０１の領域に相当する地域コードを記述する空き領域が、現在放送しているコンテンツが緊急警報放送用起動フラグにより差替えられたＴＳであることを示している。
【００３０】
図８は、差替え前後のＴＳストリームの状態と、受信端末側での表示を示している。
１４０１はＴＳ差替え前後のＴＳストリームの全体を、１４０２は広域映像、１４０３は広域放送の音声、１４０４はＰＣＲ，１４０５はＴＳ差替え前のＰＳＩ／ＳＩ，１４０７は緊急警報放送用起動フラグが１になってからのＰＳＩ／ＳＩ，１４０６は通常放送の広域データ放送、１４０８は緊急警報放送用起動フラグが１になってからの地域データ放送が格納されているストリームの領域を示している。図中の矢印は緊急警報放送用起動フラグが０から１に変化した時点を示している。
【００３１】
緊急警報放送用起動フラグが起動する前後における受信端末の表示例を１４１１と1412に示す。１４１２と１４１１では映像音声が表示再生される受信端末の画面上半分の映像表示エリアでは、緊急警報放送用起動フラグが変化する前後で同一のコンテンツが再生されている。その一方で、画面下側のデータ放送エリアには、緊急警報放送用起動フラグの値が変化する前後でデータ放送の内容に差替えが起こっていることがわかる。
【００３２】
図９は、本発明を用いた放送データ変換装置を利用したエリア型放送の一実施例である。県域局中にある通信送出設備９０１にて、県域局で制作した放送データストリームは
ＲＴＰ(Realtime Transport Protocol) に重畳されて、光ネットワーク９１２を通じて、エリア型放送を行う中継局９０５，９０６に送信される。ここで送信されたデータはプロトコル変換機９０７を介して、ＲＴＰのトレイラーからはずされてＭＰＥＧ２−ＴＳストリームに戻される。ここで戻されたＴＳストリームを、放送データ変換装置１０１に入力し、それぞれの中継エリアに適した放送コンテンツに変換された後に、変調機９０９を介して、該当する地域に放送される。その放送をたとえば携帯受信機９１０，９１１で受信し、緊急警報放送用起動フラグが１になっている間は、図８に示したように、同じ地域にいてもデータ放送のコンテンツが自動的に切り替わり、かつ、そのまま地域Ｂ９０４を離れて地域Ａ９０３に移動すると、自動的に該当地域のデータ放送コンテンツに切り替わる。
【００３３】
以上の本発明の第一の実施例により、地上デジタル放送のＴＭＣＣ中の緊急警報放送用起動フラグが１となった時に、その情報をトリガーにして速やかに放送データ変換装置にて、データ放送を狭い地域に密着した情報に差替えることにより、速やかな避難情報、並びに災害情報をユーザーに提供できるようになる。
【図面の簡単な説明】
【００３４】
【図１】本発明を用いた第一の実施例の構成を示す図。
【図２】ＴＭＣＣの緊急警報放送用起動フラグを説明する図。
【図３】緊急情報検出装置の処理のフロー図。
【図４】差替えデータ生成の処理のフロー図。
【図５】ＰＥＳパケットの差替えを説明する図。
【図６】セクションパケットの差替えを説明する図。
【図７】ＰＭＴ中のデータ配置を説明する図。
【図８】ストリームのデータ差替えと端末表示を説明する図。
【図９】本発明の放送データ変換装置を用いたエリア型放送の実現の一例を説明する図。
【符号の説明】
【００３５】
１０１  放送データ変換装置
１０２  ＴＳ受信装置
１０３  緊急情報検出装置
１０４  差替えデータ生成指令装置
１０５  データ差替え装置
１０６  時刻同期装置
１０７  差替えデータ生成装置
１０８  差替えデータ
１０９  ＴＳ送出装置
【図１】
2008205979.tif 000003
【図２】
2008205979.tif 000004
【図３】
2008205979.tif 000005
【図４】
2008205979.tif 000006
【図５】
2008205979.tif 000007
【図６】
2008205979.tif 000008
【図７】
2008205979.tif 000009
【図８】
2008205979.tif 000010
【図９】
2008205979.tif 000011